(57)【要約】【課題】  高齢者、病者、障害者や健全者でも頻繁にトイレットを使用する者が、トイレットを利用するとき、寝床とトイレットの距離、間隔や不便な設置条件では負担がかかり、難儀をしているという不都合を解決すること。【解決手段】  トイレットの通常出入り口の開閉扉とは別の位置に、もう一方の寝室専用出入り口を設け、トイレットと寝室間を直結して合成、接合する構成で、寝室は分割することで、別空き部は多目的利用ができる、組立・解体式の体積の可変が可能な簡易的構造と、全体を利用して、固定化した恒久的構造のもの、また、寝具に簡易・恒久トイレットを付帯、装着し、トイレットと寝具間は仕切を置き、トイレットと寝具間を直結して合成、接合する構成で、一つはトイレットと寝具の全体を覆った構造と、もう一つはトイレット部だけを覆い、寝具部は覆いがない構造のものを設け、寝室・寝具とトイレットを一体化することにより、この課題を解決する。【選択図】    図１
2006257848.tif 000002
【特許請求の範囲】
【請求項１】
トイレットの通常出入り口の開閉扉とは別の位置に、もう一方の寝室専用出入り口を設け、トイレットと寝室間を直結して合成、接合する構成で、寝室は部屋の一部、あるいは、あるスペース、エリアの一部を利用し、分割することで、別空き部は多目的利用ができる組立・解体式の体積の可変が可能な簡易的構造のものと、部屋全体、あるいは、あるスペース、エリアの全体を利用して、固定化した恒久的構造のものを設けたことを特徴とする寝室とトイレットを一体化したもの。
【請求項２】
寝具の寝床に簡易または恒久トイレットを付帯するか、装着、配備するようにし、トイレットと寝具間は仕切を置き、トイレットと寝具間を直結して合成、接合する構成で、一つはトイレットと寝具の全体を覆い、トイレット部と寝具のオプション品目の設置部を除く部分は覆いを開放可能な状態ができるような構造とし、もう一つはトイレット部だけを覆い、寝具部は覆いがない開放状態の構造のものを設けたことを特徴とする寝具にトイレットを一体化したもの。
【発明の詳細な説明】
【技術分野】
【０００１】  本発明は、日常生活に関するものであり、寝室および寝具とトイレットを一体化することによって、生活様式の利便性、プライベートの確保を図るようにしたものである。
【背景技術】
【０００２】  従来、日常生活においてトイレットを使用する場合、寝室・寝具とトイレットとの距離、設置条件やかかわり合いなどがアンバランスであり、特に、高齢者、病者、障害者や健全者でも頻繁にトイレットを使用することが時々ある、これらの方々は不便さを感じながら、難儀して日々を過ごしている。
【発明の開示】
【発明が解決しようとする課題】
【０００３】  従来、トイレットの利用について、高齢者、病者、障害者や健全者でも頻繁にトイレットを使用することが時々ある。これらの方々は当たり前であるが排便、排尿、おう吐、その他の生理的なことなどで、日常茶飯事、寝床とトイレット間の往復を繰り返し、重度な場合は付添人がいる。寝床とトイレットの距離、間隔や階段、段差、錯綜する住居、扉・戸の開け閉めが多い障害物などの不利、不便な設置条件では負担がかかり、苦痛を伴う。【０００４】  また、トイレットの利用に関して、一般家庭で高齢者、病者、障害者と同居する健全者間において、お互いに気使い合い、プライベートにも大きなストレスが掛かって、ややもすれば、ライフスタイルへも偏重を来すことになる傾向がある。特に、超高齢化時代になると、個人的には勿論のこと、深刻な社会問題へと展開する要素を含んでいると考える。【０００５】  本発明は、これらの不都合を解決することを課題とする。
【課題を解決するための手段】
【０００６】  この課題を解決するための請求項１の発明は、トイレットおよびバス（浴室）と併用のトイレットの従来の通常出入り口の開閉扉とは別の位置に、もう一方の寝室専用出入り口を設け、トイレットと寝室間を直結して合成、接合する構成で、寝室は部屋の一部、あるいは、あるスペース、エリアの一部を利用し、分割することで、別空き部は多目的利用ができ、住居利用の効率化を促進した組立・解体式の体積の可変が可能な簡易的構造のものと、部屋全体、あるいは、あるスペース、エリアの全体を利用して、固定化した恒久的構造のもので、どちらも窓、冷暖房器具、照明・電気設備、カーテン類、その他オプション品目などの配備、また、トイレットと寝室間は手すりの装備、床面段差の排除、車いすの走行、開閉扉などのバリアフリー化を配慮した構造設計を施すことを特徴とする寝室とトイレットの一体化により快適な使用法を可能にする。【０００７】  また、請求項２の発明は、寝具の寝床に簡易または恒久トイレットを付帯するか、装着、配備するようにし、トイレットと寝具間は仕切を置き、トイレットと寝具間を直結して合成、接合する構成で、一つはトイレットと寝具の全体を覆い、寝具は窓、冷暖房器具、その他オプション品目などを設置するようにして、覆いをカーテン類で開放可能な状態ができるような構造とし、もう一つはトイレット部だけを覆い、寝具部は覆いがない開放状態の構造のものを設け、トイレットと寝具間は手すりの装備、床面段差の排除、車いすの走行、開閉扉などのバリアフリー化を配慮した構造設計を施すことを特徴とする寝具にトイレットを一体化により快適な使用法を可能にする。
【発明の効果】
【０００８】  本発明は、高齢者、病者、障害者や健全者でも頻繁にトイレットを使用する者が、トイレットを利用するとき、寝床とトイレットの距離、間隔や階段、段差、錯綜する住居、扉・戸の開け閉めが多い障害物などの不利、不便な設置条件では負担がかかり、苦痛を伴って難儀をしていたが、これらの不都合を大幅に削減して、威力を発揮でき、快適な日常生活をすることができる。【０００９】  高齢者、病者、障害者の重度な場合は、付添人などの介護者が負担、重責を果たしていたが、大きく緩和される。また、両者間の付き添いに関する、気づかいなどのかかわり合いが削減され、介護に関する展開が向上して、正常化に近いライフスタイルに戻ることができる。【００１０】  従来の寝床からトイレットまでの距離間隔や設置条件が、当たり前から本発明で一変することで、寝床からトイレットが一体化し、融合することで生活様式が大きく様変わりし、利便性が高まり、プライベートの確保、確立ができる。【００１１】  部屋の一部、あるいは、あるスペース、エリアの一部を利用し、分割することで、別空き部は多目的利用でき、場所の有効活用が可能になる。【００１２】  本発明の導入、利用は健全者、病弱者、どなたでも可能で、その限りではなく、寝床とトイレットに関するライフスタイルが大きく改善されることになり、特に、高齢者、病者、障害者の方などはストレスの緩和、すなわち、肉体的、精神的圧迫が解放され爽快になる。【００１３】  田舎の旧家はトイレットが寝床がある母屋から離れた建物にある場合が多いので、本発明の導入、利用は効果的である。【００１４】  高齢化社会において、本発明の関心、要求、需要は益々高まり、大きな効力が得られる。
【発明を実施するための最良の形態】
【００１５】  この課題を解決するための請求項１の発明は、トイレットおよびバス（浴室）と併用のトイレットの従来の通常出入り口の開閉扉とは別の位置に、もう一方の寝室専用出入り口を設け、トイレットと寝室間を直結して合成、接合する構成で、寝室は部屋の一部、あるいは、あるスペース、エリアの一部を利用し、分割することで、別空き部は多目的利用ができ、住居利用の効率化を促進した組立・解体式の体積の可変が可能な簡易的構造のものと、部屋全体、あるいは、あるスペース、エリアの全体を利用して、固定化した恒久的構造のもので、どちらも窓、冷暖房器具、照明・電気設備、カーテン類、その他オプション品目などの配備、また、トイレットと寝室間は手すりの装備、床面段差の排除、車いすの走行、開閉扉などのバリアフリー化を配慮した構造設計を施すことを特徴とする寝室とトイレットの一体化により快適な使用法を可能にする。【００１６】  トイレットの出入り口が二カ所になるため、トイレット使用時である使用者がトイレット内部にいる場合は光センサー、あるいは圧力センサーなどを駆使し、外部への使用中表示を明確化して、トイレットの同時・二重使用の防止をする。また、付随して内部から出入り口が二カ所への単独鍵、連動鍵などを付け、非常時に備えて外部からも鍵が開けられる仕組みにする。一般的には、外部への使用中表示は内部の状態が外部からも分かる不透明ガラスの窓越しなどの簡易的なものを設けるようにしても良い。【００１７】  トイレットの出入り口を従来の通常と寝室専用の２つ設けているが、寝室専用出入り口の１つだけにしても良い。トイレットの出入り口を２つ、および２つ以上にして、全てを各寝室専用出入り口にすることもできる。また、１つを通常出入り口、あと２つを寝室専用出入り口にすることもでき、トイレットの拡大、便器数量の増加によって、その限りではない構成と利用方法が可能である。【００１８】  本発明の請求項１は、新築住居への設計、設置は勿論のこと、既設住居においても、改築設計、設置が可能である。【００１９】  また、請求項２の発明は、寝具の寝床に簡易または恒久トイレットを付帯するか、装着、配備するようにし、トイレットと寝具間は仕切を置き、トイレットと寝具間を直結して合成、接合する構成で、一つはトイレットと寝具の全体を覆い、寝具は窓、冷暖房器具、その他オプション品目などを設置するようにして、覆いをカーテン類で開放可能な状態ができるような構造とし、もう一つはトイレット部だけを覆い、寝具部は覆いがない開放状態の構造のものを設け、トイレットと寝具間は手すりの装備、床面段差の排除、車いすの走行、開閉扉などのバリアフリー化を配慮した構造設計を施すことを特徴とする寝具にトイレットを一体化により快適な使用法を可能にする。【００２０】  トイレットと寝具の全体は住居の窓側に接して配置するのが理想的であり、トイレットの簡易または恒久トイレットからは外気との換気機能、照明・電気設備、恒久トイレットは排泄物の排出管の配管（下水）と水回りの配管（上水）の水洗式トイレット機能、その他オプション品目などの設置が必要である。【００２１】  トイレットと寝具の全体を覆った構造のものは、あるスペース、エリアまた冷暖���設備のない部屋に、もう一つのトイレット部だけを覆い、寝具部は覆いがない開放状態の構造のものは、窓、冷暖房器具の設置した部屋へ配備するのが適正であり、有効的な利用方法である。【００２２】  本発明の請求項２は、新設、既設のどちらの住居においても設計、設置が可能である。
【産業上の利用可能性】
【００２３】  本発明に係る寝室・寝具とトイレットの一体化は、工業的に建築、量産する事が可能であるため、産業上の利用可能性を有する。
【図面の簡単な説明】
【００２４】
【図１】  トイレットと寝室を直結・一体化の概略立体図
【図２】  トイレットと覆った寝具を直結・一体化の概略外形図
【図３】  トイレットと覆わない寝具を直結・一体化の概略立体図
【符号の説明】
【００２５】図中の文字、数字は次の通りである。
Ａ  ：トイレット（出入り口２個）  Ｂ  ：寝室
Ａ１：トイレット（出入り口１個）  Ｂ１：覆った寝具
ａ  ：トイレットの通常出入り口    ｂ  ：トイレットの寝室専用出入り口
ｃ  ：寝具（寝床）                        ｄ  ：床（バリアフリー）
【図１】
2006257848.tif 000003
【図２】
2006257848.tif 000004
【図３】
2006257848.tif 000005